(57)【要約】非直交多元接続に適用される情報伝送装置、方法及び通信システムを提供する。該情報伝送方法は、送信装置が伝送すべきデータを複数のコンスタレーションシンボルに変調するステップと、複数のコンスタレーションシンボルを第１所定角度だけそれぞれ回転させ、複数の第１シンボルを取得するステップと、複数の第１シンボルに対して虚部と実部のインターリービングを行い、複数の第２シンボルを取得するステップと、複数の第２シンボルを第２所定角度だけそれぞれ回転させ、複数の第３シンボルを取得するステップと、複数の第３シンボルに対して虚部と実部のインターリービングを行い、複数の第４シンボルを取得するステップと、複数の第４シンボルを複数のリソース要素にマッピングし、伝送を行うステップとを含む。これによって、より高いダイバーシティ利得を得ることができ、システム性能をさらに向上でき、より多くのユーザ装置を多重化できる。【選択図】図３
2019510402.tif 000002
【特許請求の範囲】
【請求項１】
非直交多元接続に適用される情報伝送方法であって、
送信装置が、伝送すべきデータを複数のコンスタレーションシンボルに変調するステップと、
前記複数のコンスタレーションシンボルを第１所定角度だけそれぞれ回転させ、複数の第１シンボルを取得するステップと、
前記複数の第１シンボルに対して虚部と実部のインターリービングを行い、複数の第２シンボルを取得するステップであって、同一の第１シンボルに属する実部及び虚部は、異なる第２シンボルの実部及び虚部の位置に分散される、ステップと、
前記複数の第２シンボルを第２所定角度だけそれぞれ回転させ、複数の第３シンボルを取得するステップと、
前記複数の第３シンボルに対して虚部と実部のインターリービングを行い、複数の第４シンボルを取得するステップであって、同一の第３シンボルに属する実部及び虚部は、異なる第４シンボルの実部及び虚部の位置に分散される、ステップと、
前記複数の第４シンボルを複数のリソース要素にマッピングし、伝送を行うステップと、を含む、情報伝送方法。
【請求項２】
各Ｎ個の第４シンボルは、Ｍ個の時間周波数リソース要素におけるＮ個のリソース要素にマッピングされ、コードワードを形成し、
Ｍ及びＮは正整数であり、ＭはＮよりも大きい、請求項１に記載の情報伝送方法。
【請求項３】
前記複数のコンスタレーションシンボルは、
ｃｉ＝ｕｉ＋ｊｖｉ、ｃｉ＋１＝ｕｉ＋１＋ｊｖｉ＋１、ｃｉ＋２＝ｕｉ＋２＋ｊｖｉ＋２及びｃｉ＋３＝ｕｉ＋３＋ｊｖｉ＋３を含み、
前記複数の第１シンボルは、
【数１】
2019510402.tif 000083
【数２】
2019510402.tif 000084
【数３】
2019510402.tif 000085
【数４】
2019510402.tif 000086
を含み、
前記複数の第２シンボルは、
【数５】
2019510402.tif 000087
【数６】
2019510402.tif 000088
【数７】
2019510402.tif 000089
【数８】
2019510402.tif 000090
を含み、
θは前記第１所定角度であり、ｉは正整数であり、ｕｉ及びｖｉはそれぞれシンボルの実部及び虚部である、請求項１に記載の情報伝送方法。
【請求項４】
前記複数の第３シンボルは、
【数９】
2019510402.tif 000091
【数１０】
2019510402.tif 000092
【数１１】
2019510402.tif 000093
【数１２】
2019510402.tif 000094
を含み、
前記複数の第４シンボルは、
【数１３】
2019510402.tif 000095
【数１４】
2019510402.tif 000096
【数１５】
2019510402.tif 000097
【数１６】
2019510402.tif 000098
を含み、
φは前記第２所定角度である、請求項３に記載の情報伝送方法。
【請求項５】
シンボル誤り率に基づいて前記第１所定角度及び前記第２所定角度を決定するステップ、をさらに含む、請求項１に記載の情報伝送方法。
【請求項６】
前記コンスタレーションシンボルがＢＰＳＫシンボルであり、且つ信号対雑音比が所定値よりも大きい場合、前記第１所定角度θ＝４５°、前記第２所定角度φ＝６０°、請求項５に記載の情報伝送方法。
【請求項７】
前記複数の第４シンボルを複数のリソース要素にマッピングするステップは、
同一の信号成分を含む第４シンボルを、独立又は無相関のチャネルフェージングを受けた隣接しないリソース要素に分散的にマッピングするステップ、を含む、請求項１に記載の情報伝送方法。
【請求項８】
同一のコードワードに対応するリソース要素は、異なる物理リソースブロックペアに由来し、互いに隣接せず、且つ互いに離間した時間周波数位置に位置する、請求項７に記載の情報伝送方法。
【請求項９】
非直交多元接続に適用される情報伝送装置であって、
伝送すべきデータを複数のコンスタレーションシンボルに変調するデータ変調手段と、
前記複数のコンスタレーションシンボルを第１所定角度だけそれぞれ回転させ、複数の第１シンボルを取得する第１回転手段と、
前記複数の第１シンボルに対して虚部と実部のインターリービングを行い、複数の第２シンボルを取得する第１インターリービング手段であって、同一の第１シンボルに属する実部及び虚部は、異なる第２シンボルの実部及び虚部の位置に分散される、第１インターリービング手段と、
前記複数の第２シンボルを第２所定角度だけそれぞれ回転させ、複数の第３シンボルを取得する第２回転手段と、
前記複数の第３シンボルに対して虚部と実部のインターリービングを行い、複数の第４シンボルを取得する第２インターリービング手段であって、同一の第３シンボルに属する実部及び虚部は、異なる第４シンボルの実部及び虚部の位置に分散される、第２インターリービング手段と、
前記複数の第４シンボルを複数のリソース要素にマッピングし、伝送を行うリソースマッピング手段と、を含む、情報伝送装置。
【請求項１０】
各Ｎ個の第４シンボルは、Ｍ個の時間周波数リソース要素におけるＮ個のリソース要素にマッピングされ、コードワードを形成し、
Ｍ及びＮは正整数であり、ＭはＮよりも大きい、請求項９に記載の情報伝送装置。
【請求項１１】
シンボル誤り率に基づいて前記第１所定角度及び前記第２所定角度を決定する角度決定手段、をさらに含む、請求項９に記載の情報伝送装置。
【請求項１２】
前記リソースマッピング手段は、同一の信号成分を含む第４シンボルを、独立又は無相関のチャネルフェージングを受けた隣接しないリソース要素に分散的にマッピングする、請求項９に記載の情報伝送装置。
【請求項１３】
同一のコードワードに対応するリソース要素は、異なる物理リソースブロックペアに由来し、互いに隣接せず、且つ互いに離間した時間周波数位置に位置する、請求項１２に記載の情報伝送装置。
【請求項１４】
請求項９に記載の情報伝送装置が配置されている送信装置と、
前記送信装置により送信された情報を受信し、復調する受信装置と、を含む、通信システム。
【請求項１５】
複数の送信装置は、シンボルを複数のリソース要素にマッピングし、非直交多元接続を行う、請求項１４に記載の通信システム。
【発明の詳細な説明】
【技術分野】
【０００１】
本発明は、通信技術の分野に関し、特に非直交多元接続に適用される情報伝送方法、装置及び通信システムに関する。
【背景技術】
【０００２】
マシンタイプ通信（ＭＴＣ：Ｍａｃｈｉｎｅ  Ｔｙｐｅ  Ｃｏｍｍｕｎｉｃａｔｉｏｎ）は、第５世代（５Ｇ）移動通信システムの顕著な特徴の１つである。通常の意味での人間により使用されるユーザ装置（例えばスマートフォン）に加えて、より多くのスマートデバイスはユーザ装置となり、システムに柔軟にアクセスすることができる。モノのインターネット（ＩｏＴ：Ｉｎｔｅｒｎｅｔ  ｏｆ  Ｔｈｉｎｇｓ）を実現するために、５Ｇシステムは４Ｇシステムよりも多くのユーザ装置をサポートする必要がある。このため、５Ｇシステムの設計において、新たな多元接続技術は非常に重要である。
【０００３】
スパースコード多元接続（ＳＣＭＡ：Ｓｐａｒｓｅ  Ｃｏｄｅ  Ｍｕｌｔｉｐｌｅ  Ａｃｃｅｓｓ）は新たな多元接続技術の１つである。「スパース」は、ユーザ装置により伝送される信号が全ての割り当てられたリソースを占有しないが、複数のユーザ装置による同一のリソースの使用が許可され、より多くのユーザ装置がシステムに同時にアクセスすることが許可されることを意味する。ＳＣＭＡは実質的に非直交の多元接続方式である。
【０００４】
なお、背景技術に関する上記の説明は、単なる本発明の構成をより明確、完全に説明するためのものであり、当業者を理解させるために説明するものである。これらの構成が本発明の背景技術の部分に説明されているから当業者にとって周知の技術であると解釈してはならない。
【発明の概要】
【発明が解決しようとする課題】
【０００５】
本発明の実施例は、シンボルに対して２回の回転を行うことで、より高いダイバーシティ利得を得ることができ、システム性能をさらに向上でき、より多くのユーザ装置を多重化できる、非直交多元接続に適用される情報伝送装置、方法及び通信システムを提供する。
【課題を解決するための手段】
【０００６】
本発明の実施例の第１の態様では、非直交多元接続に適用される情報伝送方法であって、送信装置が、伝送すべきデータを複数のコンスタレーションシンボルに変調するステップと、前記複数のコンスタレーションシンボルを第１所定角度だけそれぞれ回転させ、複数の第１シンボルを取得するステップと、前記複数の第１シンボルに対して虚部と実部のインターリービングを行い、複数の第２シンボルを取得するステップであって、同一の第１シンボルに属する実部及び虚部は、異なる第２シンボルの実部及び虚部の位置に分散される、ステップと、前記複数の第２シンボルを第２所定角度だけそれぞれ回転させ、複数の第３シンボルを取得するステップと、前記複数の第３シンボルに対して虚部と実部のインターリービングを行い、複数の第４シンボルを取得するステップであって、同一の第３シンボルに属する実部及び虚部は、異なる第４シンボルの実部及び虚部の位置に分散される、ステップと、前記複数の第４シンボルを複数のリソース要素にマッピングし、伝送を行うステップと、を含む、情報伝送方法を提供する。
【０００７】
本発明の実施例の第２の態様では、非直交多元接続に適用される情報伝送装置であって、伝送すべきデータを複数のコンスタレーションシンボルに変調するデータ変調手段と、前記複数のコンスタレーションシンボルを第１所定角度だけそれぞれ回転させ、複数の第１シンボルを取得する第１回転手段と、前記複数の第１シンボルに対して虚部と実部のインターリービングを行い、複数の第２シンボルを取得する第１インターリービング手段であって、同一の第１シンボルに属する実部及び虚部は、異なる第２シンボルの実部及び虚部の位置に分散される、第１インターリービング手段と、前記複数の第２シンボルを第２所定角度だけそれぞれ回転させ、複数の第３シンボルを取得する第２回転手段と、前記複数の第３シンボルに対して虚部と実部のインターリービングを行い、複数の第４シンボルを取得する第２インターリービング手段であって、同一の第３シンボルに属する実部及び虚部は、異なる第４シンボルの実部及び虚部の位置に分散される、第２インターリービング手段と、前記複数の第４シンボルを複数のリソース要素にマッピングし、伝送を行うリソースマッピング手段と、を含む、情報伝送装置を提供する。
【０００８】
本発明の実施例の第３の態様では、上記の情報伝送装置が配置されている送信装置と、前記送信装置により送信された情報を受信し、復調する受信装置と、を含む、通信システムを提供する。
【０００９】
本発明の実施例の有益な効果としては、複数のコンスタレーションシンボルに対して１回目の回転を行い、異なるシンボルの虚部と実部に対してインターリービングを行い、２回目の回転を行い、異なるシンボルの虚部と実部に対してインターリービングを行うことで、より高いダイバーシティ利得を得ることができ、システム性能をさらに向上でき、より多くのユーザ装置を多重化できる。
【００１０】
下記の説明及び図面に示すように、本発明の特定の実施形態が詳細に開示され、本発明の原理を採用できる方式が示される。なお、本発明の実施形態の範囲はこれらに限定されない。本発明の実施形態は、添付される特許請求の範囲の要旨及び項目の範囲内において、変更されたもの、修正されたもの及び均等的なものを含む。
【００１１】
１つの実施形態に記載された特徴及び／又は示された特徴は、同一又は類似の方式で１つ又はさらに多くの他の実施形態で用いられてもよいし、他の実施形態における特徴と組み合わせてもよいし、他の実施形態における特徴に代わってもよい。
【００１２】
なお、本文では、用語「包括／含む」は、特徴、部材、ステップ又はコンポーネントが存在することを意味し、一つ又は複数の他の特徴、部材、ステップ又はコンポーネントの存在又は付加を排除しない。
【図面の簡単な説明】
【００１３】
本発明の実施例の１つの図面及び１つの実施形態に記載された要素及び特徴は、１つ又はさらに多くの図面又は実施形態に示された要素及び特徴と組み合わせてもよい。また、図面において、類似の符号は複数の図面における対応する素子を示し、１つ以上の実施形態に用いられる対応素子を示してもよい。
【図１】ＳＣＭＡにおける複数のユーザ装置の多重化を示す図である。
【図２】ＳＣＭＡにおける２つのコードワードの伝送を示す図である。
【図３】本発明の実施例１の非直交多元接続に適用される情報伝送方法を示す図である。
【図４】本発明の実施例１のユーザリソースマッピングを示す図である。
【図５】本発明の実施例１の非直交多元接続に適用される情報伝送方法を示す他の図である。
【図６】直交多元接続のユーザリソースマッピングを示す図である。
【図７】ＳＣＭＡのユーザリソースマッピングを示す図である。
【図８】ＳＣＭＡ方法と二重回転方法の比較を示す図である。
【図９】ＳＣＭＡ方法と二重回転方法の比較を示す他の図である。
【図１０】ＳＣＭＡ方法と二重回転方法の比較を示す他の図である。
【図１１】ＳＣＭＡ方法と二重回転方法の比較を示す他の図である。
【図１２】本発明の実施例のコードワードのインターリービングを示す図である。
【図１３】本発明の実施例のコードワードのインターリービングを示す他の図である。
【図１４】ＳＣＭＡ方法と二重回転方法の比較を示す他の図である。
【図１５】本発明の実施例４の非直交多元接続に適用される情報伝送装置を示す図である。
【図１６】本発明の実施例４のユーザ装置を示す図である。
【図１７】本発明の実施例４の基地局を示す図である。
【図１８】本発明の実施例５の通信システムを示す図である。
【発明を実施するための形態】
【００１４】
以下は、図面を参照しながら本発明の上記及び他の特徴を説明する。下記の説明及び図面に示すように、本発明の特定の実施形態が詳細に開示され、本発明の原理を採用できる実施形態の一部が示される。なお、本発明の実施形態の範囲はこれらに限定されない。本発明の実施形態は、添付される特許請求の範囲の要旨及び項目の範囲内において、変更されたもの、修正されたもの及び均等的なものを含む。
【００１５】
本願では、基地局は、アクセスポイント、ブロードキャスト送信機、ノードＢ、進化型ノードＢ（ｅＮＢ）等と称されてもよく、これらの一部又は全ての機能を有してもよい。本文では、用語「基地局」が使用される。各基地局は、特定の地理的領域に通信カバレッジを提供する。用語「セル」は、該用語が使用される文脈に応じて、基地局及び／又はそのカバレッジ領域を意味してもよい。
【００１６】
本願では、移動局又は装置は、「ユーザ装置」（ＵＥ：Ｕｓｅｒ  Ｅｑｕｉｐｍｅｎｔ）と称されてもよい。ＵＥは、固定的なもの又は移動的なものであってもよく、移動局、端末、アクセス端末、ユーザユニット又は局などと称されてもよい。ＵＥは、携帯電話、パーソナルデジタルアシスタント（ＰＤＡ）、無線変復調装置、無線通信装置、ハンドヘルドデバイス、ラップトップコンピュータ、コードレス電話などであってもよい。
【００１７】
ユーザ装置が同一のリソースを占有することによるユーザ装置間の干渉の問題を解決するために、ＳＣＭＡにおける「コードワード」は二次元のコンスタレーション点の構造を用い、例えば信号を回転させ、実部及び虚部で信号コピーをそれぞれ生成し、これらのコピーを複数のリソース要素で伝送する。このように、複数のユーザ装置の信号が重畳された場合に生じた干渉に抵抗するように、コードワードにおいてシンボル間の関連付けを確立できる。
【００１８】
図１はＳＣＭＡにおける複数のユーザ装置の多重化を示す図であり、各正方形は１つの時間周波数リソース要素、例えば直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）システムにおけるリソース要素（ＲＥ：Ｒｅｓｏｕｒｃｅ  Ｅｌｅｍｅｎｔ）を表す。
【００１９】
図１に示すように、ブランク部はゼロ位置を示し、該ユーザ装置が該リソース要素で信号を伝送しないことを表し、或いはゼロシンボルを伝送することも称される。斜線部は非ゼロ位置を示し、ユーザ装置が該リソースで信号を伝送することを表し、非ゼロシンボルは伝送されている。図１に示すように、４つのリソース要素は合計６個のユーザ装置の信号を搬送し、各ユーザ装置は２つの非ゼロシンボルを伝送する。
【００２０】
各ユーザ装置について、該ユーザ装置により最初に伝送された２つの非ゼロ複素数シンボルが
ｃｉ＝ｕｉ＋ｊｖｉ、
ｃｉ＋１＝ｕｉ＋１＋ｊｖｉ＋１
であると仮定する。
【００２１】
ここで、ｕｉ及びｖｉは実数であり、ｃｉは複素数であり、ｉ及びｉ＋１は２つの連続するシンボルを示す。以下は、混乱を生じさせないことを前提として、ユーザ装置の標記を省略する。
【００２２】
ＳＣＭＡ伝送を実現するために、まず、元のシンボルに対して位相回転を行い、回転角度がθである場合、回転後のシンボルは以下の通りである。
【数１】
2019510402.tif 000003
【数２】
2019510402.tif 000004
【００２３】
そして、
（外１）
2019510402.tif 000005
の虚部と
（外２）
2019510402.tif 000006
の実部を入れ替えて、
【数３】
2019510402.tif 000007
【数４】
2019510402.tif 000008
を取得する。
【００２４】
ｓｉ及びｓｉ＋１を図１の２つの非ゼロ位置にマッピングし、伝送を行う。このように、ゼロシンボル及び非ゼロシンボルを含むＳＣＭＡの完全なコードワードが得られた。
【００２５】
複数のユーザ装置の場合は、各ユーザ装置は、上記のプロセスに従って信号を生成し、非ゼロ位置にマッピングして伝送する。図１に示すように、異なるユーザ装置のマッピングされた非ゼロ位置は異なる。実際には、図１に示す４つのリソース要素は、ゼロシンボル及び非ゼロシンボルを含む１つのコードワードを構成する。それに応じて、式ｓｉ、ｓｉ＋１は非ゼロシンボルの伝送の一般式である。実際の伝送では、割り当てられたリソースの大きさに応じて複数のコードワードを伝送してもよい。
【００２６】
図２はＳＣＭＡにおける２つのコードワードの伝送を示す図であり、４つの非ゼロシンボルを連続的に伝送する例を示している。図２に示すように、同一の信号成分（例えばｕｉ又はｖｉ等）は２つの異なるリソース要素に分散されて伝送される。
【００２７】
以上はＳＣＭＡを例示的に説明する。なお、本発明の実施例はＳＣＭＡ伝送に限定されず、任意の非直交多元接続のシナリオに適用されてもよい。
【００２８】
＜実施例１＞
本発明の実施例は非直交多元接続に適用される情報伝送方法を提供し、送信装置の側から本発明を説明する。図３は本発明の実施例の情報伝送方法を示す図であり、図３に示すように、該情報伝送方法は以下のステップを含む。
【００２９】
ステップ３０１：送信装置は、伝送すべきデータを複数のコンスタレーションシンボルに変調する。
【００３０】
ステップ３０２：送信装置は、複数のコンスタレーションシンボルを第１所定角度だけそれぞれ回転させ、複数の第１シンボルを取得する。
【００３１】
ステップ３０３：送信装置は、複数の第１シンボルに対して虚部と実部のインターリービング（ｉｎｔｅｒｌｅａｖｉｎｇ）を行い、複数の第２シンボルを取得する。ここで、同一の第１シンボルに属する実部及び虚部は、異なる第２シンボルの実部及び虚部の位置に分散される。
【００３２】
ステップ３０４：送信装置は、複数の第２シンボルを第２所定角度だけそれぞれ回転させ、複数の第３シンボルを取得する。
【００３３】
ステップ３０５：送信装置は、複数の第３シンボルに対して虚部と実部のインターリービングを行い、複数の第４シンボルを取得する。ここで、同一の第３シンボルに属する実部及び虚部は、異なる第４シンボルの実部及び虚部の位置に分散される。
【００３４】
ステップ３０６：送信装置は、複数の第４シンボルを複数のリソース要素にマッピングし、伝送を行う。
【００３５】
本実施例では、複数の送信装置は、非直交多元接続（例えばスパース特性に基づく非直交多元接続）を行ってもよい。該送信装置はＭＴＣユーザ装置であってもよく、該ＭＴＣユーザ装置及び他のユーザ装置は受信装置に対して例えばスパース特性に基づく非直交伝送を行う。なお、本発明はこれに限定されないが、以下は、ＭＴＣユーザ装置及びスパース特性に基づく非直交多元接続を一例にして説明する。
【００３６】
本実施例では、受信装置は、マクロ基地局（例えばｅＮＢ）であってもよく、該マクロ基地局により生成されたマクロセル（例えばＭａｃｒｏ  ｃｅｌｌ）はユーザ装置にサービスを提供できる。或いは、受信装置は、ピコ基地局であってもよく、該ピコ基地局により生成されたピコセル（例えばＰｉｃｏ  ｃｅｌｌ）はユーザ装置にサービスを提供できる。或いは、受信装置は、他のネットワーク装置であってもよい。本発明はこれに限定されず、実際の状況に応じて具体的なシナリオを決定してもよい。
【００３７】
以下は、４つのシンボルの伝送を一例にして、ユーザ装置の観点から本発明を説明する。
【００３８】
該ユーザ装置が以下４つの元の複素数シンボルを送信しようとすると仮定する。
【００３９】
ｃｉ＝ｕｉ＋ｊｖｉ、
ｃｉ＋１＝ｕｉ＋１＋ｊｖｉ＋１、
ｃｉ＋２＝ｕｉ＋２＋ｊｖｉ＋２、及び
ｃｉ＋３＝ｕｉ＋３＋ｊｖｉ＋３
ここで、ｃｉ〜ｃｉ＋３はバイナリ位相シフトキーイング（ＢＰＳＫ：Ｂｉｎａｒｙ  Ｐｈａｓｅ  Ｓｈｉｆｔ  Ｋｅｙｉｎｇ）、直交位相シフトキーイング（ＱＰＳＫ：Ｑｕａｄｒａｔｕｒｅ  Ｐｈａｓｅ  Ｓｈｉｆｔ  Ｋｅｙｉｎｇ）、１６直交振幅変調（ＱＡＭ：Ｑｕａｄｒａｔｕｒｅ  Ａｍｐｌｉｔｕｄｅ  Ｍｏｄｕｌａｔｉｏｎ）、又は６４ＱＡＭ等の任意のコンスタレーションからのシンボルであってもよいが、本発明はこれに限定されない。また、コンスタレーションシンボルの変調方法などは、任意の関連方法を参照してもよい。
【００４０】
ステップ３０２において、第１所定角度がθであると仮定すると、１回目の回転が行われた後の複数の第１シンボルは、
【数５】
2019510402.tif 000009
【数６】
2019510402.tif 000010
【数７】
2019510402.tif 000011
【数８】
2019510402.tif 000012
である。
【００４１】
コンスタレーションシンボルの具体的な回転（コンスタレーション回転又は位相回転と称されてもよい）の方法は、任意の関連方法を参照してもよい。
【００４２】
ステップ３０３において、異なる信号成分を有する２つの第１シンボルに対して虚部と実部のインターリービングを行い、複数の第２シンボルを取得する。
【００４３】
例えば、
（外３）
2019510402.tif 000013
の虚部と
（外４）
2019510402.tif 000014
の実部とを入れ替え、
（外５）
2019510402.tif 000015
の虚部と
（外６）
2019510402.tif 000016
の実部とを入れ替えると、複数の第２シンボルは、
【数９】
2019510402.tif 000017
【数１０】
2019510402.tif 000018
【数１１】
2019510402.tif 000019
【数１２】
2019510402.tif 000020
である。
【００４４】
なお、以上は単なる本発明の実施例の１つの具体的な態様であり、本発明はこれに限定されない。例えば、
（外７）
2019510402.tif 000021
の実部と
（外８）
2019510402.tif 000022
の虚部とを入れ替え、
（外９）
2019510402.tif 000023
の実部と
（外１０）
2019510402.tif 000024
の虚部とを入れ替えてもよいし、
（外１１）
2019510402.tif 000025
の虚部と
（外１２）
2019510402.tif 000026
の実部とを入れ替え、
（外１３）
2019510402.tif 000027
の虚部と
（外１４）
2019510402.tif 000028
の実部とを入れ替えてもよい。実際の状況に応じて、虚部と実部の具体的なインターリービング方法を決定してもよい。
【００４５】
ステップ３０４において、第２所定角度がφであると仮定すると、２回目の回転が行われた後の複数の第３シンボルは、
【数１３】
2019510402.tif 000029
【数１４】
2019510402.tif 000030
【数１５】
2019510402.tif 000031
【数１６】
2019510402.tif 000032
である。
【００４６】
なお、以上は
（外１５）
2019510402.tif 000033
の虚部と
（外１６）
2019510402.tif 000034
の実部とを入れ替え、
（外１７）
2019510402.tif 000035
の虚部と
（外１８）
2019510402.tif 000036
の実部とを入れ替えることを一例にして説明しているが、ステップ３０３における虚部と実部のインターリービング方法が異なると、それに応じて得られた第３シンボルも異なる。
【００４７】
ステップ３０５において、異なる信号成分を有する２つの第３シンボルに対して虚部と実部のインターリービングを行い、複数の第４シンボルを取得する。
【００４８】
例えば、
（外１９）
2019510402.tif 000037
の虚部と
（外２０）
2019510402.tif 000038
の実部とを入れ替え、
（外２１）
2019510402.tif 000039
の虚部と
（外２２）
2019510402.tif 000040
の実部とを入れ替えると、複数の第４シンボルは、
【数１７】
2019510402.tif 000041
【数１８】
2019510402.tif 000042
【数１９】
2019510402.tif 000043
【数２０】
2019510402.tif 000044
である。
【００４９】
なお、以上は単なる本発明の実施例の１つの具体的な態様であり、本発明はこれに限定されない。例えば、
（外２３）
2019510402.tif 000045
の実部と
（外２４）
2019510402.tif 000046
の虚部とを入れ替え、
（外２５）
2019510402.tif 000047
の実部と
（外２６）
2019510402.tif 000048
の虚部とを入れ替えてもよいし、
（外２７）
2019510402.tif 000049
の虚部と
（外２８）
2019510402.tif 000050
の実部とを入れ替え、
（外２９）
2019510402.tif 000051
の虚部と
（外３０）
2019510402.tif 000052
の実部とを入れ替えてもよい。
【００５０】
ステップ３０６において、複数の第４シンボルを複数のリソース要素にそれぞれマッピングしてもよい。
【００５１】
例えば、Ｎ個の第４シンボルは、Ｍ個の時間周波数リソース要素のＮ個のリソース要素にマッピングされ、他のリソース要素はゼロシンボルを伝送してもよい。ここで、Ｍ及びＮは正整数であり、且つＭはＮよりも大きい。なお、本発明はこれに限定されず、例えば非「ＳＣＭＡ」の方式を用いてマッピングを行ってもよい。
【００５２】
図４は本発明の実施例のユーザリソースマッピングを示す図である。図４に示すように、ｗｉ〜ｗｉ＋３を４つの非ゼロリソース位置にマッピングして伝送する。ここで、同一の信号成分（例えばｕｉ）は４つの異なるリソース要素に分散されて伝送される。図２に示すＳＣＭＡ方法においてｕｉが２つの異なるリソース要素に分散されて伝送される場合に比べて、図４に示す方法（二重回転方法（ｄｕａｌ  ｒｏｔａｔｉｏｎ）と称されてもよい）は、より高いダイバーシティ利得を得ることができ、ユーザ装置の復調性能を向上でき、より多くのユーザ装置を多重化できる。
【００５３】
以上は単一のユーザ装置の観点から説明されている。複数のユーザ装置の場合は、各ユーザ装置は共にステップ３０１〜ステップ３０５を実行し、ステップ３０５において、異なるユーザ装置によりマッピングされた非ゼロリソース位置は異なるため、非直交多元接続を行うことができる。
【００５４】
図５は本発明の実施例の情報伝送方法を示す他の図であり、伝送すべきデータが複数のコードワードに変調される場合を示している。図５に示すように、該情報伝送方法は以下のステップを含む。
【００５５】
ステップ５０１：送信装置は、伝送すべきデータを複数のコードワードに変調する。
【００５６】
ここで、各コードワードはＮ個の非ゼロコンスタレーションシンボルを含み、Ｎは正整数である。
【００５７】
ステップ５０２：送信装置は、１つのコードワードを選択する。
【００５８】
ステップ５０３：送信装置は、該コードワードのＮ個のコンスタレーションシンボルを第１所定角度だけそれぞれ回転させ、Ｎ個の第１シンボルを取得する。
【００５９】
ステップ５０４：送信装置は、Ｎ個の第１シンボルに対して虚部と実部のインターリービングを行い、Ｎ個の第２シンボルを取得する。
【００６０】
ここで、同一の第１シンボルに属する実部及び虚部は、異なる第２シンボルの実部及び虚部の位置に分散される。
【００６１】
ステップ５０５：送信装置は、Ｎ個の第２シンボルを第２所定角度だけそれぞれ回転させ、複数の第３シンボルを取得する。
【００６２】
ステップ５０６：送信装置は、Ｎ個の第３シンボルに対して虚部と実部のインターリービングを行い、複数の第４シンボルを取得する。
【００６３】
ここで、同一の第３シンボルに属する実部及び虚部は、異なる第４シンボルの実部及び虚部の位置に分散される。
【００６４】
ステップ５０７：送信装置は、Ｎ個の第４シンボルをＭ個の時間周波数リソース要素におけるＮ個のリソース要素にマッピングする。
【００６５】
ここで、Ｍは正整数であり、且つＭはＮよりも大きい。リソースのマッピングを行った後に、これらのシンボルを伝送してもよく、具体的なマッピング方法及び伝送方法は、任意の関連方法を参照してもよい。
【００６６】
ステップ５０８：未処理のコードワードがまだあるか否かを判断する。ある場合は、ステップ５０２を実行し、もう１つのコードワードを選択して処理を行い、ない場合は、今回の伝送プロセスを終了させる。
【００６７】
なお、図５は単なる本発明の実施例を例示的に説明するためのものであり、本発明はこれに限定されない。例えば、各ステップの実行順序を適宜に調整してもよいし、他のステップを追加したり、その中のステップを削除したりしてもよい。当業者は上記の内容に基づいて適宜に変形を行ってもよく、上記図面の記載に限定されない。
【００６８】
本実施例によれば、複数のコンスタレーションシンボルに対して１回目の回転及びインターリービングを行い、同一の第１シンボルに属する実部及び虚部を異なる第２シンボルの実部及び虚部の位置に分散させ、２回目の回転及びインターリービングを行い、同一の第３シンボルに属する実部及び虚部を異なる第４シンボルの実部及び虚部の位置に分散させることで、より高いダイバーシティ利得を得ることができ、システム性能をさらに向上でき、より多くのユーザ装置を多重化できる。
【００６９】
＜実施例２＞
本発明の実施例は、実施例１をベースにしてさらに説明するものである。ここで、ＭＴＣユーザ装置がＢＰＳＫシンボルを用いることを一例にして、本発明の効果及び回転角度の決定方法を説明する。
【００７０】
図６は直交多元接続のユーザリソースマッピングを示す図である。図６に示すように、直交多元接続モードでは、ＭＴＣユーザ装置は通常ＱＰＳＫシンボルを用いて伝送を行い、４つのリソース要素は４つのユーザ装置を多重化でき、各ユーザ装置は１つのリソース要素を用いる。
【００７１】
図７はＳＣＭＡのユーザリソースマッピングを示す図である。図７に示すように、ＳＣＭＡモードでは、各ＭＴＣユーザ装置は２つのリソース要素を用い、伝送すべき信号は２つのＢＰＳＫシンボルに対して回転及びインターリービングを行って得られ、４つのリソース要素は６つのユーザ装置を多重化できる。
【００７２】
本実施例では、依然として単一のユーザ装置を一例にして説明し、ユーザ装置の標記を省略する。該ユーザ装置が元の４つのＢＰＳＫシンボルａ１、ａ２、ａ３及びａ４を伝送しようとすると仮定し、ここで、ａ１〜ａ４はＢＰＳＫコンスタレーションに由来するものである。
【００７３】
まず、第１段階のコンスタレーション回転を行ってもよい。回転角度がθであると仮定すると、回転後のシンボルは
【数２１】
2019510402.tif 000053
【数２２】
2019510402.tif 000054
【数２３】
2019510402.tif 000055
【数２４】
2019510402.tif 000056
で示されている。
【００７４】
そして、虚部と実部のインターリービングを行ってもよい。インターリービング方法として、例えば
（外３１）
2019510402.tif 000057
の虚部と
（外３２）
2019510402.tif 000058
の実部とを入れ替え、
（外３３）
2019510402.tif 000059
の虚部と
（外３４）
2019510402.tif 000060
の実部とを入れ替える。これによって、
【数２５】
2019510402.tif 000061
【数２６】
2019510402.tif 000062
【数２７】
2019510402.tif 000063
【数２８】
2019510402.tif 000064
を取得する。
【００７５】
そして、第２段階のコンスタレーション回転を行ってもよい。回転角度がφであると仮定すると、回転後のシンボルは
【数２９】
2019510402.tif 000065
【数３０】
2019510402.tif 000066
【数３１】
2019510402.tif 000067
【数３２】
2019510402.tif 000068
で示されている。
【００７６】
そして、虚部と実部のインターリービングを行ってもよい。インターリービング方法として、例えば
（外３５）
2019510402.tif 000069
の虚部と
（外３６）
2019510402.tif 000070
の実部とを入れ替え、
（外３７）
2019510402.tif 000071
の虚部と
（外３８）
2019510402.tif 000072
の実部とを入れ替える。これによって、
【数３３】
2019510402.tif 000073
【数３４】
2019510402.tif 000074
【数３５】
2019510402.tif 000075
【数３６】
2019510402.tif 000076
を取得する。
【００７７】
そして、ｗ１〜ｗ４を４つの非ゼロリソース位置にマッピングして伝送してもよい。
【００７８】
複数のユーザ装置は上記処理をそれぞれ行ってもよく、異なるユーザ装置の非ゼロリソース位置は異なる。これによって、非直交多元接続（例えばスパース特性に基づく非直交多元接続）を行うことができる。
【００７９】
図８はＳＣＭＡ方法と本発明の実施例の二重回転方法の比較を示す図であり、単一のユーザ装置の例の場合を示している。図８に示すように、ａ１を例にすると、ＳＣＭＡ方法において２つのリソース要素でそれを伝送し、一方、本発明の実施例の二重回転方法において４つのリソース要素でそれを伝送する。従って、理論的には、ＳＣＭＡ方法に比べて、本発明の実施例の二重回転方法はより高いダイバーシティ効果を有する。
【００８０】
図９はＳＣＭＡ方法と本発明の実施例の二重回転方法の比較を示す他の図であり、単一のユーザ装置の条件における、ＳＣＭＡ方法と本発明の実施例の二重回転方法のビット誤り率（ＢＥＲ：Ｂｉｔ  Ｅｒｒｏｒ  Ｒａｔｅ）性能曲線を示している。ここで、チャネルが独立同分布（ｉｎｄｅｐｅｎｄｅｎｔ−ｉｄｅｎｔｉｃａｌｌｙ−ｄｉｓｔｒｉｂｕｔｅｄ）のレイリー分布に従うと仮定する。
【００８１】
図１０はＳＣＭＡ方法と本発明の実施例の二重回転方法の比較を示す他の図であり、複数のユーザ装置（ユーザ装置の数は６つである）の条件における、ＳＣＭＡ方法と本発明の実施例の二重回転方法のビット誤り率性能曲線を示している。ここで、チャネルが独立同分布（ｉｎｄｅｐｅｎｄｅｎｔ−ｉｄｅｎｔｉｃａｌｌｙ−ｄｉｓｔｒｉｂｕｔｅｄ）のレイリー分布に従うと仮定する。
【００８２】
図１１はＳＣＭＡ方法と本発明の実施例の二重回転方法の比較を示す他の図であり、複数のユーザ装置（ユーザ装置の数は６つである）の条件における、ＳＣＭＡ方法と本発明の実施例の二重回転方法のブロック誤り率（ＢＬＥＲ：Ｂｌｏｃｋ  Ｅｒｒｏｒ  Ｒａｔｅ）性能曲線を示している。ここで、チャネルが独立同分布（ｉｎｄｅｐｅｎｄｅｎｔ−ｉｄｅｎｔｉｃａｌｌｙ−ｄｉｓｔｒｉｂｕｔｅｄ）のレイリー分布に従い、ＬＴＥ規格を満たすＴｕｂｒｏチャネル符号化を用い、符号化率が０．７９５であると仮定する。
【００８３】
図９乃至図１１に示すシミュレーション結果から、本発明の実施例の二重回転方法の有効性が確認された。本発明の実施例の二重回転方法を用いることで、ユーザ装置の復調性能を向上でき、より多くのユーザ装置を多重化できる。
【００８４】
以上は理論及びシミュレーション結果から本発明の実施例の二重回転方法を説明しているが、以下は回転角度の決定方法を例示的に説明する。
【００８５】
本実施例では、シンボル誤り率に基づいて第１所定角度及び第２所定角度を決定してもよい。例えば、コンスタレーションシンボルがＢＰＳＫシンボルであり、且つ信号対雑音比が所定値よりも大きい場合、第１所定角度θ＝４５°、第２所定角度φ＝６０°となる。
【００８６】
以下は導出の過程を簡単に説明する。
【００８７】
ベクトルｘ＝［ｘ１  ｘ２  ｘ３  ｘ４］Ｔ，ａ１＆２＝［ａ１  ａ２］Ｔとすると、シンボルａ１、ａ２について、二重回転変換は等価的にｘ＝Ｇａ１＆２で示されてもよい。ここで、
【数３７】
2019510402.tif 000077
【００８８】
実際には
【数３８】
2019510402.tif 000078
、ここで、ｗ＝［ｗ１  ｗ２  ｗ３  ｗ４］Ｔ、即ちｗの実部は、行列Ｇと２つのＢＰＳＫシンボルにより構成されたベクトルとの積として表される。同様に、ｗの虚部も、行列Ｇと２つのＢＰＳＫシンボルにより構成されたベクトルとの積として表されてもよい。
【００８９】
ａ１及びａ２の復調はｗの実部にのみ依存し、ａ３及びａ４の復調はｗの虚部にのみ依存するため、解析のために任意の経路を選択してもよい。
【００９０】
ａ１及びａ２はＢＰＳＫコンスタレーションに由来するため、ベクトルａ１＆２は４つの可能な値を有することができ、それに応じてｘは４つの可能な値を有することができ、即ちｘ∈｛ｘ（ｌ）｜ｌ＝１，２，３，４｝となる。ｘ（ｌ）がｘ（ｋ）であると誤判定された場合は、ａ１及びａ２の復調に誤りが生じる可能性があり、以下は該誤った確率を計算する。
【００９１】
ｘの各要素が異なるリソース要素で伝送され、それが異なるチャネルを通過するため、通過したチャネルが独立同分布のレイリーフェージングに従うと仮定され、ｘ（ｌ）がｘ（ｋ）であると誤判定された確率は、
【数３９】
2019510402.tif 000079
で表されてもよい。
【００９２】
ここで、ρは信号対雑音比（ＳＮＲ：Ｓｉｇｎａｌ  ｔｏ  Ｎｏｉｓｅ  Ｒａｔｉｏ）を表す。よって、平均の誤り確率は、
【数４０】
2019510402.tif 000080
で表されてもよい。
【数４１】
2019510402.tif 000081
とすると、実際にはＵ（φ，θ）が回転角度φ及びθについての関数であるため、回転角度は、平均の誤り確率を最小化すること、即ち
【数４２】
2019510402.tif 000082
によって得られてもよい。
【００９３】
ρ＝３０ｄＢとし、即ち高い信号対雑音比に設定されると、一組の適切な回転角度値を求めることができ、該回転角度値はφ＝６０°、θ＝４５°となる。
【００９４】
なお、以上は第１所定角度及び第２所定角度の決定方法を例示的に説明しているが、本発明はこれに限定されず、他の角度の決定方法を用いてもよい。また、回転角度は４５°及び６０°に限定されず、他の角度であってもよく、実際のシナリオに応じて具体的な数値を決定してもよい。
【００９５】
＜実施例３＞
本発明の実施例では、実施例１及び実施例２をベースにして、リソースのマッピング方法をさらに説明する。
【００９６】
本実施例では、複数の第４シンボルを複数のリソース要素にマッピングする際に、同一の信号成分を含む第４シンボルを、独立又は無相関のチャネルフェージングを受けた隣接しないリソース要素に分散的にマッピングしてもよい。該リソースのマッピング方法は同様に従来のＳＣＭＡ方法に適用される。
【００９７】
例えば、シンボル（ＳＣＭＡにおけるｓｉ等であってもよいし、本発明の実施例のｗｉ等であってもよい）を非ゼロリソースにマッピングして伝送する際に、同一の信号成分を含むシンボルをできるだけ独立又は無相関のチャネルフェージングを受けたリソース要素にマッピングし、即ち同一のコードワードを独立又は無相関のチャネルフェージングを受けた隣接しないリソース要素に分散させて伝送するように、シンボルのインターリービングを行ってもよい。
【００９８】
図１２は本発明の実施例のコードワードのインターリービングを示す図であり、ＳＣＭＡの例の場合を示している。図１２の左図に示すように、従来のＳＣＭＡ方法（コードワードのインターリービングが行われていない方法）において同一のコードワードに属するシンボル（ゼロシンボル及び非ゼロシンボルを含む）は連続的なリソース要素にマッピングされる。これによって、複数のコードワードは、該ユーザ装置のために割り当てられた全てのリソースブロックペアを全て充填する。
【００９９】
図１２の右図に示すように、本発明の実施例では、同一のコードワードに属するシンボル（ゼロシンボル及び非ゼロシンボルを含む）は異なるリソースブロックペア内にマッピングされているため、各シンボルはできるだけ無相関のチャネルフェージングを受けることができ、ダイバーシティをさらに利用できる。
【０１００】
図１３は本発明の実施例のコードワードのインターリービングを示す他の図であり、本発明の実施例の二重回転方法の例の場合を示している。図１３の左図に示すように、コードワードのインターリービングが行われていない方法において、同一のコードワードに属するシンボル（ゼロシンボル及び非ゼロシンボルを含む）は連続的なリソース要素にマッピングされる。これによって、複数のコードワードは、該ユーザ装置のために割り当てられた全てのリソースブロックペアを全て充填する。
【０１０１】
図１３の右図に示すように、本発明の実施例では、同一の信号成分を含むシンボルを４つの非ゼロリソース要素に分散させて伝送できるため、８つのシンボル（ゼロシンボル及び非ゼロシンボルを含む）を１つの等価的なコードワードと見なし、該等価的なコードワードに対してインターリービングを行ってもよい。同一のコードワードに属する８つのシンボルは、インターリービングが行われた後に、異なるリソースブロックペアに分散されて伝送される。
【０１０２】
図１４はＳＣＭＡ方法と本発明の実施例の二重回転方法の比較を示す他の図であり、コードワードのインターリービングが用いられた後の性能のシミュレーション結果を示している。ここで、チャネルがＥＴＵ  １２０ｋｍ／ｈチャネルであり、ＬＴＥ  Ｔｕｒｂｏチャネル符号化を用い、符号化率が０．７９５であると仮定する。
【０１０３】
図１４に示すように、コードワードのインターリービングが行われた二重回転方法は従来のＳＣＭＡ方法よりも良い性能を有する。図１１に比べて、コードワードのインターリービングが行われた方法は、コードワードのインターリービングが行われていない方法よりも良い性能を有し（例えばブロック誤り率はより低く）、ダイバーシティ利得をさらに得ることができる。
【０１０４】
＜実施例４＞
本発明の実施例は、非直交多元接続に適用される情報伝送装置を提供する。本発明の実施例は実施例１乃至実施例３における非直交多元接続に適用される情報伝送方法に対応し、同様な内容についてその説明が省略される。
【０１０５】
図１５は本発明の実施例の非直交多元接続に適用される情報伝送装置を示す図である。図１５に示すように、非直交多元接続の情報伝送装置１５００は、データ変調部１５０１、第１回転部１５０２、第１インターリービング部１５０３、第２回転部１５０４、第２インターリービング部１５０５及びリソースマッピング部１５０６を含む。
【０１０６】
データ変調部１５０１は、伝送すべきデータを複数のコンスタレーションシンボルに変調する。
【０１０７】
第１回転部１５０２は、複数のコンスタレーションシンボルを第１所定角度だけそれぞれ回転させ、複数の第１シンボルを取得する。
【０１０８】
第１インターリービング部１５０３は、複数の第１シンボルに対して虚部と実部のインターリービングを行い、複数の第２シンボルを取得する。ここで、同一の第１シンボルに属する実部及び虚部は、異なる第２シンボルの実部及び虚部の位置に分散される。
【０１０９】
第２回転部１５０４は、複数の第２シンボルを第２所定角度だけそれぞれ回転させ、複数の第３シンボルを取得する。
【０１１０】
第２インターリービング部１５０５は、複数の第３シンボルに対して虚部と実部のインターリービングを行い、複数の第４シンボルを取得する。ここで、同一の第３シンボルに属する実部及び虚部は、異なる第４シンボルの実部及び虚部の位置に分散される。
【０１１１】
リソースマッピング部１５０６は、複数の第４シンボルを複数のリソース要素にマッピングし、伝送を行う。
【０１１２】
本実施例では、伝送すべきデータを複数のコードワードに変調し、各コードワードはＮ個の非ゼロコンスタレーションシンボルを含んでもよく、ここで、Ｎは正整数である。
【０１１３】
本実施例では、Ｎ個の第４シンボルは、Ｍ個の時間周波数リソース要素のＮ個のリソース要素にマッピングされて伝送されてもよい。ここで、Ｍは正整数であり、ＭはＮよりも大きい。なお、本発明はこれに限定されない。
【０１１４】
図１５に示すように、非直交多元接続の情報伝送装置１５００は、シンボル誤り率に基づいて第１所定角度及び第２所定角度を決定する角度決定部１５０７をさらに含んでもよい。
【０１１５】
本実施例では、リソースマッピング部１５０６は、同一の信号成分を含む第４シンボルを、独立又は無相関のチャネルフェージングを受けた隣接しないリソース要素に分散的にマッピングしてもよい。同一のコードワードに含まれるリソース要素は、異なる物理リソースブロックペアに由来し、互いに隣接せず、且つ互いに離間した時間周波数位置に位置する。
【０１１６】
本発明の実施例は、上記の非直交多元接続の情報伝送装置１５００が配置されている送信装置をさらに提供する。該送信装置は、例えばＭＴＣユーザ装置などのユーザ装置であってもよく、受信装置は基地局であってもよい。
【０１１７】
図１６は本発明の実施例のユーザ装置を示す図である。図１６に示すように、ユーザ装置１６００は、中央処理装置１００及び記憶装置１４０を含んでもよく、記憶装置１４０は中央処理装置１００に接続される。なお、該図は単なる例示的なものであり、電気通信機能又は他の機能を実現するように、他の種類の構成を用いて、該構成を補充又は代替してもよい。
【０１１８】
１つの態様では、非直交多元接続の情報伝送装置１５００の機能は中央処理装置１００に統合されてもよい。ここで、中央処理装置１００は、実施例１乃至実施例３に記載の非直交多元接続に適用される情報伝送方法を実現するように構成されてもよい。
【０１１９】
例えば、中央処理装置１００は、伝送すべきデータを複数のコンスタレーションシンボルに変調し、該複数のコンスタレーションシンボルを第１所定角度だけそれぞれ回転させ、複数の第１シンボルを取得し、該複数の第１シンボルに対して虚部と実部のインターリービングを行い、複数の第２シンボルを取得し、同一の第１シンボルに属する実部及び虚部は異なる第２シンボルの実部及び虚部の位置に分散され、該複数の第２シンボルを第２所定角度だけそれぞれ回転させ、複数の第３シンボルを取得し、該複数の第３シンボルに対して虚部と実部のインターリービングを行い、複数の第４シンボルを取得し、同一の第３シンボルに属する実部及び虚部は異なる第４シンボルの実部及び虚部の位置に分散され、該複数の第４シンボルを複数のリソース要素にマッピングし、伝送を行うように構成されてもよい。
【０１２０】
もう１つの態様では、非直交多元接続の情報伝送装置１５００は中央処理装置１００とそれぞれ構成されてもよく、例えば非直交多元接続の情報伝送装置１５００は中央処理装置１００に接続されたチップであり、中央処理装置１００の制御により非直交多元接続の情報伝送装置１５００の機能を実現してもよい。
【０１２１】
図１６に示すように、ユーザ装置１６００は、通信モジュール１１０、入力部１２０、音声処理装置１３０、記憶装置１４０、ディスプレイ１６０、及び電源１７０をさらに含んでもよい。ここで、上記構成部の機能は従来技術と類似するため、ここでその説明が省略される。なお、ユーザ装置１６００は図１６に示す全てのユニットを含む必要がない。また、ユーザ装置１６００は、図１６に示されていないユニットをさらに含んでもよく、従来技術を参照してもよい。
【０１２２】
本実施例では、該送信装置は例えば基地局であってもよく、受信装置は例えばＭＴＣユーザ装置などのユーザ装置であってもよい。なお、本発明はこれに限定されず、送信装置及び受信装置は他のネットワーク装置であってもよい。
【０１２３】
図１７は本発明の実施例の基地局を示す図である。図１７に示すように、基地局１７００は、中央処理装置（ＣＰＵ）２００及び記憶装置２１０を含んでもよく、記憶装置２１０は中央処理装置２００に接続される。記憶装置２１０は、各種のデータを記憶してもよいし、情報処理のプログラムをさらに記憶してもよい。中央処理装置２００の制御で該プログラムが実行される。
【０１２４】
ここで、非直交多元接続の情報伝送装置１５００は実施例１に記載された非直交多元接続に適用される情報伝送方法を実現してもよい。中央処理装置２００は、非直交多元接続の情報伝送装置１５００の機能を実現するように構成されてもよい。
【０１２５】
また、図１７に示すように、基地局１７００は、送受信機２２０及びアンテナ２３０等をさらに含んでもよい。ここで、上記部材の機能は従来技術と類似し、ここでその説明を省略する。なお、基地局１７００は図１７に示す全てのユニットを含む必要がない。また、基地局１７００は、図１７に示されていないユニットをさらに含んでもよく、従来技術を参照してもよい。
【０１２６】
本実施例によれば、複数のコンスタレーションシンボルに対して１回目の回転及びインターリービングを行い、同一の第１シンボルに属する実部及び虚部を異なる第２シンボルの実部及び虚部の位置に分散させ、２回目の回転及びインターリービングを行い、同一の第３シンボルに属する実部及び虚部を異なる第４シンボルの実部及び虚部の位置に分散させることで、より高いダイバーシティ利得を得ることができ、システム性能をさらに向上でき、より多くのユーザ装置を多重化できる。
【０１２７】
＜実施例５＞
本発明の実施例は通信システムをさらに提供し、実施例１乃至４と同様な内容について説明が省略される。
【０１２８】
本実施例では、通信システムは、実施例４に記載された非直交多元接続の情報伝送装置１５００が配置されている送信装置と、該送信装置により送信された情報を受信し、復調する受信装置とを含んでもよい。
【０１２９】
本実施例では、複数の送信装置は、第４シンボルを複数のリソース要素にマッピングし、非直交多元接続を行ってもよい。ここで、送信装置はＭＴＣユーザ装置などのユーザ装置であってもよく、受信装置は基地局であってもよいが、本発明はこれに限定されない。
【０１３０】
以下は、送信装置がユーザ装置であり、受信装置が基地局であることを一例にして説明する。
【０１３１】
図１８は本発明の実施例の通信システムを示す図である。図１８に示すように、通信システム１８００は、基地局１８０１及びユーザ装置１８０２を含んでもよい。
【０１３２】
ここで、ユーザ装置１８０２は、伝送すべきデータを複数のコンスタレーションシンボルに変調し、複数のコンスタレーションシンボルを第１所定角度だけそれぞれ回転させ、複数の第１シンボルを取得し、複数の第１シンボルに対して虚部と実部のインターリービングを行い、複数の第２シンボルを取得し、同一の第１シンボルに属する実部及び虚部は異なる第２シンボルの実部及び虚部の位置に分散され、複数の第２シンボルを第２所定角度だけそれぞれ回転させ、複数の第３シンボルを取得し、複数の第３シンボルに対して虚部と実部のインターリービングを行い、複数の第４シンボルを取得し、同一の第３シンボルに属する実部及び虚部は異なる第４シンボルの実部及び虚部の位置に分散され、複数の第４シンボルを複数のリソース要素にマッピングし、伝送を行う。
【０１３３】
基地局１８０１は、ユーザ装置１８０２により送信された情報を受信し、受信された情報を復調する。
【０１３４】
本発明の実施例は、送信装置においてプログラムを実行する際に、コンピュータに、実施例１に記載の非直交多元接続に適用される情報伝送方法を該送信装置において実行させる、コンピュータ読み取り可能なプログラムをさらに提供する。
【０１３５】
本発明の実施例は、コンピュータに、実施例１に記載の非直交多元接続に適用される情報伝送方法を送信装置において実行させるためのコンピュータ読み取り可能なプログラムを記憶する、記憶媒体をさらに提供する。
【０１３６】
本発明の以上の装置及び方法は、ハードウェアにより実現されてもよく、ハードウェアとソフトウェアを結合して実現されてもよい。本発明はコンピュータが読み取り可能なプログラムに関し、該プログラムはロジック部により実行される時に、該ロジック部に上述した装置又は構成要件を実現させる、或いは該ロジック部に上述した各種の方法又はステップを実現させることができる。本発明は上記のプログラムを記憶するための記憶媒体、例えばハードディスク、磁気ディスク、光ディスク、ＤＶＤ、フラッシュメモリ等に関する。
【０１３７】
本発明の実施例を参照しながら説明した非直交多元接続に適用される情報伝送方法は、ハードウェア、プロセッサにより実行されるソフトウェアモジュール、又は両者の組み合わせで実施されてもよい。例えば、図１５に示す機能的ブロック図における１つ若しくは複数、又は機能的ブロック図の１つ若しくは複数の組み合わせ（例えばデータ変調部、リソースマッピング部など）は、コンピュータプログラムフローの各ソフトウェアモジュールに対応してもよいし、各ハードウェアモジュールに対応してもよい。これらのソフトウェアモジュールは、図３に示す各ステップにそれぞれ対応してもよい。これらのハードウェアモジュールは、例えばフィールド・プログラマブル・ゲートアレイ（ＦＰＧＡ）を用いてこれらのソフトウェアモジュールをハードウェア化して実現されてもよい。
【０１３８】
ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、モバイルハードディスク、ＣＤ−ＲＯＭ又は当業者にとって既知の任意の他の形の記憶媒体に位置してもよい。プロセッサが記憶媒体から情報を読み取ったり、記憶媒体に情報を書き込むように該記憶媒体をプロセッサに接続してもよいし、記憶媒体がプロセッサの構成部であってもよい。プロセッサ及び記憶媒体はＡＳＩＣに位置する。該ソフトウェアモジュールは移動端末のメモリに記憶されてもよいし、移動端末に挿入されたメモリカードに記憶されてもよい。例えば、機器（例えば移動端末）が比較的に大きい容量のＭＥＧＡ−ＳＩＭカード又は大容量のフラッシュメモリ装置を用いる場合、該ソフトウェアモジュールは該ＭＥＧＡ−ＳＩＭカード又は大容量のフラッシュメモリ装置に記憶されてもよい。
【０１３９】
図面に記載されている機能的ブロック図における一つ以上の機能ブロックおよび/または機能ブロックの一つ以上の組合せは、本願に記載されている機能を実行するための汎用プロセッサ、デジタル信号プロセッサ（ＤＳＰ）、特定用途向け集積回路（ＡＳＩＣ）、フィールド・プログラマブル・ゲートアレイ（ＦＰＧＡ）又は他のプログラマブル論理デバイス、ディスクリートゲートまたはトランジスタ論理装置、ディスクリートハードウェアコンポーネント、またはそれらの任意の適切な組み合わせで実現されてもよい。図面に記載されている機能的ブロック図における一つ以上の機能ブロックおよび/または機能ブロックの一つ以上の組合せは、例えば、コンピューティング機器の組み合わせ、例えばＤＳＰとマイクロプロセッサの組み合わせ、複数のマイクロプロセッサの組み合わせ、ＤＳＰ通信と組み合わせた１つ又は複数のマイクロプロセッサ又は他の任意の構成で実現されてもよい。
【０１４０】
以上、具体的な実施形態を参照しながら本発明を説明しているが、上記の説明は、例示的なものに過ぎず、本発明の保護の範囲を限定するものではない。本発明の趣旨及び原理を離脱しない限り、本発明に対して各種の変形及び修正を行ってもよく、これらの変形及び修正も本発明の範囲に属する。
【図１】
2019510402.tif 000099
【図２】
2019510402.tif 000100
【図３】
2019510402.tif 000101
【図４】
2019510402.tif 000102
【図５】
2019510402.tif 000103
【図６】
2019510402.tif 000104
【図７】
2019510402.tif 000105
【図８】
2019510402.tif 000106
【図９】
2019510402.tif 000107
【図１０】
2019510402.tif 000108
【図１１】
2019510402.tif 000109
【図１２】
2019510402.tif 000110
【図１３】
2019510402.tif 000111
【図１４】
2019510402.tif 000112
【図１５】
2019510402.tif 000113
【図１６】
2019510402.tif 000114
【図１７】
2019510402.tif 000115
【図１８】
2019510402.tif 000116
【国際調査報告】
2019510402.tif 000117
2019510402.tif 000118
2019510402.tif 000119
2019510402.tif 000120